(57)【要約】【課題】  使用する放電灯の種類を変更する際のコストを低減することができる放電灯点灯装置及び照明器具を提供する。【解決手段】  放電灯ＦＬに点灯用の電力を供給する調光用安定器６と、放電灯ＦＬへの電力供給量を指示するための調光信号を出力して調光用安定器６に放電灯ＦＬの種類に応じた電力供給動作を行わせる照度補正部５と、照度補正部５と調光用安定器６とを接続するコネクタ７を備えた。【選択図】      図２
2006066347.tif 000002
【特許請求の範囲】
【請求項１】
放電灯を取り付けるためのソケットと、前記ソケットを介して放電灯に点灯用の電力を供給する点灯駆動部と、外部から供給された電源電圧を受電すると共に前記点灯駆動部へ供給する受電部と、前記放電灯への電力供給量を指示するための調光信号を出力して前記点灯駆動部に当該放電灯の種類に応じた電力供給動作を行わせる制御部とを備えた放電灯点灯装置であって、
前記制御部と前記点灯駆動部とを接続する接続部を備えることを特徴とする放電灯点灯装置。
【請求項２】
前記制御部は、
前記放電灯の点灯時間を累積的に累積点灯時間として計時する計時部と、
前記計時部によって計時された累積点灯時間に応じて、前記調光信号を出力する照度補正部と、
を備えることを特徴とする請求項１記載の放電灯点灯装置。
【請求項３】
前記制御部は、所定の種類の放電灯における、前記累積点灯時間と光出力を補正するための調光比とを対応付けた補正テーブルを記憶するテーブル記憶部をさらに備え、
前記照度補正部は、前記テーブル記憶部に記憶されている前記補正テーブルにより、前記計時部によって計時された累積点灯時間と対応付けられている調光比にするべく前記調光信号を出力することを特徴とする請求項２記載の放電灯点灯装置。
【請求項４】
前記放電灯の種類を示す種類情報の入力を受け付ける種類受付部をさらに備え、
前記テーブル記憶部は、複数種類の放電灯について複数の前記補正テーブルをそれぞれ記憶するものであり、
前記照度補正部は、前記種類受付部により受け付けられた種類情報で示される放電灯の種類に対応する前記補正テーブルに基づいて、前記調光信号を出力することを特徴とする請求項３に記載の放電灯点灯装置。
【請求項５】
前記制御部は、前記受電部から前記点灯駆動部へ供給される電流を検出する第１の電流検出部をさらに備え、
前記テーブル記憶部は、複数種類の放電灯について複数の前記補正テーブルをそれぞれ記憶するものであり、
前記照度補正部は、前記放電灯の点灯時において、前記第１の電流検出部によって検出された検出電流値に基づき前記ソケットに取り付けられた放電灯の種類を判別し、前記テーブル記憶部に記憶されている当該判別した放電灯の種類についての補正テーブルに基づいて、前記調光信号を出力することを特徴とする請求項３記載の放電灯点灯装置。
【請求項６】
前記制御部は、前記受電部から前記点灯駆動部へ供給される電流を検出する第２の電流検出部をさらに備え、
前記計時部は、前記第２の電流検出部によって検出された検出電流値が、前記放電灯の点灯時における検出電流値である第１の電流値以上となっている期間の時間を累積的に累積点灯時間として計時することを特徴とする請求項２〜５のいずれかに記載の放電灯点灯装置。
【請求項７】
前記点灯駆動部は、前記放電灯におけるフィラメントの異常時に、前記放電灯への電力供給の開始と停止とを繰り返すものであり、
前記計時部は、前記受電部による前記電源電圧の受電が継続している間に、前記第２の電流検出部によって検出された検出電流値が、前記放電灯の点灯時における検出電流値よりも小さい電流値である第２の電流値に対して、予め設定された所定の回数上下した場合に前記計時された累積点灯時間をゼロにすることを特徴とする請求項６に記載の放電灯点灯装置。
【請求項８】
前記計時部は、さらに、前記受電部による前記電源電圧の受電が開始された後における前記第２の電流検出部によって検出された検出電流値が、前記放電灯の点灯時における検出電流値よりも小さい電流値である第２の電流値に満たない場合である第１の事象が、予め設定された所定の回数連続して発生した場合に、前記計時された累積点灯時間をゼロにすることを特徴とする請求項６又は７に記載の放電灯点灯装置。
【請求項９】
前記計時部は、前記第１の事象が予め設定された所定の監視時間内に、予め設定された所定の回数発生した場合に、前記計時された累積点灯時間をゼロにすることを特徴とする請求項８に記載の放電灯点灯装置。
【請求項１０】
前記照度補正部は、前記計時部により前記累積点灯時間がゼロにされた後、前記第２の電流検出部によって検出された検出電流値が前記放電灯の点灯時における検出電流値である第１の電流値以上となっている期間が予め設定された所定の時間を超えて継続した場合に、前記調光信号を出力して前記点灯駆動部に当該放電灯の種類に応じた電力供給動作を行わせることを特徴とする請求項７〜９のいずれかに記載の放電灯点灯装置。
【請求項１１】
前記放電灯の調光比の入力を受け付ける調光比受付部をさらに備え、
前記照度補正部は、さらに、前記調光比受付部により受け付けられた調光比に応じて、前記テーブル記憶部に記憶されている補正テーブルを補正することを特徴とする請求項３〜１０のいずれかに記載の放電灯点灯装置。
【請求項１２】
放電灯を点灯させるための放電灯点灯装置と、前記放電灯点灯装置を収容する筐体と、を備え、
前記放電灯点灯装置は、請求項１〜１１のいずれかに記載の放電灯点灯装置であることを特徴とする照明装置。
【発明の詳細な説明】
【技術分野】
【０００１】
本発明は、放電灯を点灯させる放電灯点灯装置、及び照明装置に関する。
【背景技術】
【０００２】
一般に照明用として用いられている放電灯から放射される光出力のレベルは、図２１に示すように、放電灯の使用開始直後は高く、その後点灯時間の累積と共に徐々に低下していくことが知られている。つまり、放電灯の使用時間の経過と共に放電灯の光出力が低下する。この放電灯の使用時間の経過に伴う光出力の低下を抑制する技術として、初期照度補正と呼ばれるものが知られており（例えば、特許文献１参照。）、実際に初期照度補正機能を備えた放電灯点灯装置が市販されている。これは、図２２に示すように、放電灯の点灯初期においては余分な光出力を抑えるべく調光比を低く抑えて点灯させ、点灯時間の累積に伴って徐々に調光比を上げていくことにより、図２３に示すように、放電灯の使用時間の経過によらず、略同一の光出力を得ることが出来る照明装置を提供するというものである。しかも、点灯初期においては放電灯の余分な光出力を抑えるため、電力消費を低減することもできる。
【０００３】
図２４は、このような初期照度補正機能を備えた放電灯点灯装置１０１の構成の一例を示すブロック図である。図２４に示す放電灯点灯装置１０１は、通電検出部１０２と、調光用安定器１０３と、点灯時間タイマ１０４と、照度補正回路１０５とを備え、通電検出部１０２は、例えば屋内に設けられた壁スイッチであるスイッチＳＷ１を介して商用交流電源に接続されている。また、調光用安定器１０３には放電灯ＦＬが接続されている。
【０００４】
そして、ユーザによりスイッチＳＷ１がオンされて、電源電圧Ｖａｃが通電検出部１０２に供給されると、通電検出部１０２によって電源電圧Ｖａｃが調光用安定器１０３へ供給されると共に通電状態となったことを示す通電検知信号が点灯時間タイマ１０４へ出力される。そして、調光用安定器１０３によって放電灯ＦＬが点灯される一方、点灯時間タイマ１０４によって通電状態となったことを示す通電検知信号が受信されている期間が累積的に累積点灯時間として計時される。これにより、点灯時間タイマ１０４によって、放電灯点灯装置１０１の累積点灯時間が放電灯ＦＬの使用時間として計時されるようにされている。
【０００５】
放電灯ＦＬの光出力は、供給される電力量が一定であれば図２１に示すように、時間の経過と共に低下し、放電灯ＦＬを装着している灯具の反射板やセード等の汚れによっても光量が低下する。放電灯ＦＬの光出力が低下する原因としては、例えば蛍光灯であれば蛍光体の劣化などが考えられる。
【０００６】
そこで、照度補正回路１０５は、点灯時間タイマ１０４によって計時された累積点灯時間に基づいて、放電灯ＦＬの交換直後、すなわち放電灯ＦＬが新しい間は放電灯ＦＬを調光比を下げて調光点灯させておき、点灯時間タイマ１０４による累積点灯時間が増大するにつれて、放電灯ＦＬが全点灯（定格点灯状態）に近づくように、調光用安定器１０３のの調光比を上げていく制御を行う。これにより、放電灯ＦＬの光出力が累積点灯時間の増大に伴って低下するのに対して、放電灯ＦＬへの供給電力を増加させることで、放電灯ＦＬの光出力は、放電灯ＦＬの使用時間の累積によらず、略一定となるようにされている。
【特許文献１】特開平２００１−１５２７６号公報
【発明の開示】
【発明が解決しようとする課題】
【０００７】
ところで、図２１に示すような累積点灯時間の増大に伴う放電灯ＦＬにおける光出力の低下の仕方である光出力低下特性は、放電灯ＦＬの種類によって異なっている。そのため、照度補正回路１０５は、予め決められた種類の放電灯ＦＬにおける光出力の低下を補正するように構成されており、放電灯ＦＬを異なる種類に交換して使用するためには照度補正回路１０５をその放電灯ＦＬの光出力低下特性に対応したものに交換する必要がある。一方、放電灯点灯装置１０１は、図２５に示すような略箱状の筐体に収納されていたり、あるいは通電検出部１０２と、調光用安定器１０３と、点灯時間タイマ１０４と、照度補正回路１０５とが単一の基板上に構成されていたりするため、照度補正回路１０５だけを交換することは出来ず、ユーザが放電灯ＦＬを異なる種類のものに交換する場合には、放電灯点灯装置１０１ごとその放電灯ＦＬの光出力低下特性に対応したものに交換しなければならず、コスト負担が増大するという不都合があった。
【０００８】
本発明は、このような問題に鑑みて為された発明であり、使用する放電灯の種類を変更する際のコストを低減することができる放電灯点灯装置、及び照明器具を提供することを目的とする。
【課題を解決するための手段】
【０００９】
上述の目的を達成するために、本発明の第１の手段に係る放電灯点灯装置は、放電灯を取り付けるためのソケットと、前記ソケットを介して放電灯に点灯用の電力を供給する点灯駆動部と、外部から供給された電源電圧を受電すると共に前記点灯駆動部へ供給する受電部と、前記放電灯への電力供給量を指示するための調光信号を出力して前記点灯駆動部に当該放電灯の種類に応じた電力供給動作を行わせる制御部とを備えた放電灯点灯装置であって、前記制御部と前記点灯駆動部とを接続する接続部を備えることを特徴としている。
【００１０】
また、上述の放電灯点灯装置は、前記制御部は、前記放電灯の点灯時間を累積的に累積点灯時間として計時する計時部と、前記計時部によって計時された累積点灯時間に応じて、前記調光信号を出力する照度補正部と、を備えることを特徴としている。
【００１１】
そして、上述の放電灯点灯装置は、前記制御部は、所定の種類の放電灯における、前記累積点灯時間と光出力を補正するための調光比とを対応付けた補正テーブルを記憶するテーブル記憶部をさらに備え、前記照度補正部は、前記テーブル記憶部に記憶されている前記補正テーブルにより、前記計時部によって計時された累積点灯時間と対応付けられている調光比にするべく前記調光信号を出力することを特徴としている。
【００１２】
さらに、上述の放電灯点灯装置は、前記放電灯の種類を示す種類情報の入力を受け付ける種類受付部をさらに備え、前記テーブル記憶部は、複数種類の放電灯について複数の前記補正テーブルをそれぞれ記憶するものであり、前記照度補正部は、前記種類受付部により受け付けられた種類情報で示される放電灯の種類に対応する前記補正テーブルに基づいて、前記調光信号を出力することを特徴としている。
【００１３】
また、上述の放電灯点灯装置は、前記制御部は、前記受電部から前記点灯駆動部へ供給される電流を検出する第１の電流検出部をさらに備え、前記テーブル記憶部は、複数種類の放電灯について複数の前記補正テーブルをそれぞれ記憶するものであり、前記照度補正部は、前記放電灯の点灯時において、前記第１の電流検出部によって検出された検出電流値に基づき前記ソケットに取り付けられた放電灯の種類を判別し、前記テーブル記憶部に記憶されている当該判別した放電灯の種類についての補正テーブルに基づいて、前記調光信号を出力することを特徴としている。
【００１４】
さらに、上述の放電灯点灯装置は、前記制御部は、前記受電部から前記点灯駆動部へ供給される電流を検出する第２の電流検出部をさらに備え、前記計時部は、前記第２の電流検出部によって検出された検出電流値が、前記放電灯の点灯時における検出電流値である第１の電流値以上となっている期間の時間を累積的に累積点灯時間として計時することを特徴としている。
【００１５】
また、上述の放電灯点灯装置は、前記点灯駆動部は、前記放電灯におけるフィラメントの異常時に、前記放電灯への電力供給の開始と停止とを繰り返すものであり、前記計時部は、前記受電部による前記電源電圧の受電が継続している間に、前記第２の電流検出部によって検出された検出電流値が、前記放電灯の点灯時における検出電流値よりも小さい電流値である第２の電流値に対して、予め設定された所定の回数上下した場合に前記計時された累積点灯時間をゼロにすることを特徴としている。
【００１６】
そして、前記計時部は、さらに、前記受電部による前記電源電圧の受電が開始された後における前記第２の電流検出部によって検出された検出電流値が、前記放電灯の点灯時における検出電流値よりも小さい電流値である第２の電流値に満たない場合である第１の事象が、予め設定された所定の回数連続して発生した場合に、前記計時された累積点灯時間をゼロにすることを特徴としている。
【００１７】
さらに、上述の放電灯点灯装置は、前記計時部は、前記第１の事象が予め設定された所定の監視時間内に、予め設定された所定の回数発生した場合に、前記計時された累積点灯時間をゼロにすることを特徴としている。
【００１８】
また、上述の放電灯点灯装置は、前記照度補正部は、前記計時部により前記累積点灯時間がゼロにされた後、前記第２の電流検出部によって検出された検出電流値が前記放電灯の点灯時における検出電流値である第１の電流値以上となっている期間が予め設定された所定の時間を超えて継続した場合に、前記調光信号を出力して前記点灯駆動部に当該放電灯の種類に応じた電力供給動作を行わせることを特徴としている。
【００１９】
そして、上述の放電灯点灯装置は、前記放電灯の調光比の入力を受け付ける調光比受付部をさらに備え、前記照度補正部は、さらに、前記調光比受付部により受け付けられた調光比に応じて、前記テーブル記憶部に記憶されている補正テーブルを補正することを特徴としている。
【００２０】
さらに、本発明の第２の手段に係る照明装置は、放電灯を点灯させるための放電灯点灯装置と、前記放電灯点灯装置を収容する筐体と、を備え、前記放電灯点灯装置は、上述の放電灯点灯装置であることを特徴としている。
【発明の効果】
【００２１】
このような構成の放電灯点灯装置及び照明装置は、ソケットに取り付けられた放電灯に対して、点灯駆動部へ調光信号を出力して当該放電灯の種類に応じた電力供給動作を行わせる制御部が、点灯駆動部と接続部を介して接続されているので、使用する放電灯の種類を変更する際には制御部を点灯駆動部から接続部で切り離して新たな放電灯の種類に応じた制御部に交換することができ、点灯駆動部を交換する必要がないので、使用する放電灯の種類を変更する際のコストを低減することができる。
【発明を実施するための最良の形態】
【００２２】
以下、本発明に係る実施形態を図面に基づいて説明する。なお、各図において同一の符号を付した構成は、同一の構成であることを示し、その説明を省略する。
【００２３】
（第１実施形態）
図１は、本発明の一実施形態に係る照明装置の外観の一例を示す斜視図である。図１に示す照明装置１は、放電灯点灯装置２と、放電灯点灯装置２を収容する筐体３と、放電灯ＦＬを放電灯点灯装置２に接続するためのソケット４とを備えている。図２は、本発明の一実施形態に係る放電灯点灯装置の外観の一例を示す斜視図である。図２に示す放電灯点灯装置２は、制御部の一例である照度補正部５と、点灯駆動部の一例である調光用安定器６と、接続部の一例であるケーブルＣＢ１，ＣＢ２と、ケーブルＣＢ１，ＣＢ２を照度補正部５に接続するコネクタ７と、を備えている。照度補正部５と、調光用安定器６とは、それぞれ略箱状の筐体に収納されており、照度補正部５と調光用安定器６との間はケーブルＣＢ１，ＣＢ２及びコネクタ７によって接続されている。これにより、照度補正部５だけを調光用安定器６からコネクタ７によって切り離して交換することが容易にされている。
【００２４】
照度補正部５には、外部に例えば商用交流電源が接続され、電源電圧Ｖａｃが、照度補正部５とコネクタ７とケーブルＣＢ１とを介して調光用安定器６へ供給されている。また、照度補正部５から出力された調光信号ＣＴＬは、コネクタ７とケーブルＣＢ２とを介して調光用安定器６へ供給されるようになっている。
【００２５】
図３は、本発明の第１の実施形態に係る放電灯点灯装置２の構成の一例を示すブロックである。図３に示す放電灯点灯装置２は、照度補正部５と、調光用安定器６と、コネクタ７とを備えている。また、照度補正部５は、受電部の一例である端子台５１と、端子台５１から調光用安定器６へ供給される電流を検出する第２の電流検出部の一例である電流検出部５２と、例えばＣＰＵ（Central Processing Unit）を用いて構成された照度補正部の一例である制御回路部５３と、制御回路部５３等に動作用電源電圧Ｖｄｃを供給する制御電源回路部５４と、計時部の一例である計時カウンタ５５と、調光信号生成部５６と、例えばＥＥＰＲＯＭ（Electrically Erasable and Programmable Read Only Memory）を用いて構成されたテーブル記憶部の一例である不揮発性メモリ５７と、を備えている。
【００２６】
そして、端子台５１には、例えば屋内に設けられた壁スイッチであるスイッチＳＷ１を介して商用電源が接続され、端子台５１によって受電された電源電圧Ｖａｃは、電流検出部５２とコネクタ７とケーブルＣＢ１とを介して調光用安定器６へ供給されるようになっている。電流検出部５２は、端子台５１から調光用安定器６へ供給される電流を検出してその検出電流値を表す検出電圧Ｖｄを制御回路部５３へ出力する。計時カウンタ５５は、放電灯ＦＬの累積点灯時間を計時するためのタイマ回路である。不揮発性メモリ５７には、ソケット４に接続された放電灯ＦＬの光出力低下特性を補正するための、累積点灯時間と光出力の調光比とを対応付けた補正テーブル５７１が記憶されている。調光信号生成部５６は、制御回路部５３からの制御信号に応じて調光信号ＣＴＬを調光用安定器６へ出力する信号駆動回路である。
【００２７】
制御回路部５３は、計時カウンタ５５により計時された放電灯ＦＬの累積点灯時間と、不揮発性メモリ５７に記憶されている補正テーブル５７１とに基づいて調光信号ＣＴＬを調光信号生成部５６からコネクタ７とケーブルＣＢ２とを介して調光用安定器６へ出力させる。
【００２８】
調光用安定器６は、例えばインバータ回路や共振回路等を備え、放電灯ＦＬに点灯用の電力を供給して点灯させるもので、照度補正部５から受信した調光信号ＣＴＬに応じて放電灯ＦＬへ供給する電力量を変化させ、放電灯ＦＬの光出力を変化させる調光機能を有している。また、調光用安定器６は、無負荷状態を検出する無負荷検出回路を備え、放電灯ＦＬがソケット４から取り外され無負荷状態となったことが無負荷検出回路により検出されると、調光用安定器６の電子部品にかかる電圧ストレスを軽減すると共に不要な消費電力を低減するべく、調光用安定器６の動作を制御する発振制御回路を除くインバータ回路等の調光用安定器６内の回路動作を停止する（この状態を待機状態と呼ぶ）。待機状態においては調光用安定器６内で動作している部分は発振制御回路のみとなるので、調光用安定器６で消費する電流、すなわち端子台５１から調光用安定器６へ供給される入力電流Ｉｉｎは、通常点灯動作時と比べ極めて小さな値となる。
【００２９】
図４は、図３に示す放電灯点灯装置２における照度補正部５の詳細な構成の一例を示す回路図である。図４に示す電流検出部５２は、端子台５１と調光用安定器６との間に一次巻き線Ｎ１が介設されたトランスＬ１を備え、トランスＬ１における二次巻き線Ｎ２の一端がグラウンドに接続され、他端が整流用ダイオードＤ１、抵抗Ｒ１，Ｒ２を介してグラウンドに接続されている。また、抵抗Ｒ２と並列にコンデンサＣ１が接続され、抵抗Ｒ１，Ｒ２の接続点が、制御回路部５３に接続されている。これにより、一次巻き線Ｎ１を流れる電流、すなわち端子台５１から調光用安定器６へ供給される入力電流Ｉｉｎに比例する電流がダイオードＤ１で半波整流され、抵抗Ｒ１，Ｒ２の直列回路で分圧され、抵抗Ｒ２の両端電圧がコンデンサＣ１で平滑されて、検出電圧Ｖｄとして制御回路部５３へ出力される。
【００３０】
制御電源回路部５４は、端子台５１によって受電された電源電圧Ｖａｃを整流するダイオードブリッジＤＢと、ダイオードブリッジＤＢで整流された電圧を平滑して例えば１０Ｖの直流電圧にするコンデンサＣ２と、当該平滑された直流電圧を分圧して制御回路部５３、計時カウンタ５５、及び不揮発性メモリ５７に例えば５Ｖの動作用電源電圧Ｖｄｃを供給する抵抗Ｒ３，Ｒ４の直列回路とを備えている。
【００３１】
調光信号生成部５６は、制御回路部５３から出力された制御信号の信号レベルを１０Ｖに変換して調光用安定器６へ出力するもので、例えば、トランジスタＱ１のベースが抵抗Ｒ５を介して制御回路部５３に接続され、コンデンサＣ２の高圧側がＮＰＮトランジスタＱ１のコレクタに接続され、トランジスタＱ１のエミッタが抵抗Ｒ６を介してグラウンドに接続されている。そして、制御回路部５３から出力された制御信号に応じてトランジスタＱ１がオン、オフすることにより、トランジスタＱ１のエミッタと抵抗Ｒ６との接続点における電圧が、調光信号ＣＴＬとして調光用安定器６へ出力されるようになっている。
【００３２】
調光信号ＣＴＬは、例えばトランジスタＱ１がオン・オフされることにより発生する矩形波が用いられ、例えば調光信号ＣＴＬのオンデューティの幅に応じて、調光用安定器６による調光比が制御されるようになっている。
【００３３】
次に、上述のように構成された放電灯点灯装置２の動作について説明する。図５は、放電灯点灯装置２による放電灯ＦＬの点灯開始時の動作を説明するための説明図である。まず、スイッチＳＷ１がオンされ、端子台５１で受け付けられた電源電圧Ｖａｃが電流検出部５２とコネクタ７とを介して調光用安定器６へ供給されると、調光用安定器６によって放電灯ＦＬが備える図略のフィラメントが予熱された後、調光用安定器６から放電灯ＦＬへ放電を始動させるための始動電圧が印加され、放電灯ＦＬが点灯する。
【００３４】
この予熱、始動、点灯からなる一連の点灯開始シーケンスにおいて、図５の上段に示すように、フィラメントの予熱、放電の始動、放電灯ＦＬの点灯へと状態が変化するに従い、端子台５１から調光用安定器６へ供給される入力電流Ｉｉｎが増加し、電流検出部５２から制御回路部５３へ出力される検出電圧Ｖｄの電圧もまた、増加する。そして、制御回路部５３によって、検出電圧Ｖｄが予め設定された基準電圧Ｖｒｅｆ１以上になったことが検出されると放電灯ＦＬが点灯したと判断される。制御回路部５３により、放電灯ＦＬが点灯したと判断された状態を、図５下段のグラフにおいて、Ｈｉで表している。
【００３５】
基準電圧Ｖｒｅｆ１としては、放電灯ＦＬの点灯動作が開始された状態、例えばフィラメントの予熱電流が流れた場合に点灯動作を検出できるように、調光用安定器６に放電灯ＦＬが接続されていない無負荷状態において流れる入力電流Ｉｉｎと、フィラメントの予熱電流が流れた場合の入力電流Ｉｉｎとの間の電流値（第２の電流値）に対応する検出電圧Ｖｄが、設定されている。
【００３６】
なお、例えば電流検出部５２に検出電圧Ｖｄと基準電圧Ｖｒｅｆ１とを比較するコンパレータを備え、検出電圧Ｖｄが基準電圧Ｖｒｅｆ１を超えた場合にコンパレータの出力信号がハイレベルで制御回路部５３へ出力されることにより、制御回路部５３で放電灯ＦＬが点灯したと判断される構成としてもよい。
【００３７】
図６は、放電灯点灯装置２の動作の一例を示すフローチャートである。まず、ユーザによってスイッチＳＷ１がオンされ、端子台５１で受け付けられた電源電圧Ｖａｃが電流検出部５２、コネクタ７を介して調光用安定器６へ供給されると共に電源電圧Ｖａｃが制御電源回路部５４へ供給されて制御電源回路部５４から制御回路部５３、計時カウンタ５５、及び不揮発性メモリ５７へ動作用電源電圧Ｖｄｃが供給され、制御回路部５３が動作を開始する。
【００３８】
そうすると、まず、制御回路部５３により計時カウンタ５５の初期設定処理が行われ（ステップＳ１）、図５に示すように入力電流Ｉｉｎが増大して電流検出部５２から出力された検出電圧Ｖｄが基準電圧Ｖｒｅｆ１を超えると、制御回路部５３により放電灯ＦＬが点灯開始した（無負荷ではない）と判断され（ステップＳ２でＮＯ）、不揮発性メモリ５７に記憶されている累積点灯時間が計時カウンタ５５に設定される（ステップＳ３）。累積点灯時間は、前回電源がオフされる直前に、計時カウンタ５５が計時しているカウンタ値が累積点灯時間として不揮発性メモリ５７に記憶されたものである。
【００３９】
次に、制御回路部５３によって、計時カウンタ５５に設定された累積点灯時間と不揮発性メモリ５７に記憶されている補正テーブル５７１とに基づいて、放電灯ＦＬから所定の光出力が得られるように調光比が決定される（ステップＳ４）。図７は、不揮発性メモリ５７に記憶されている補正テーブル５７１の一例をグラフで示す説明図である。図７に示すように、補正テーブル５７１は放電灯ＦＬの累積点灯時間と補正用の調光比とを対応付けしたテーブルであり、累積点灯時間の増大に従い調光比が増加、すなわち放電灯ＦＬへの電力供給を増加させるように、設定されている。そして、放電灯ＦＬの種類が異なる場合には、図７に示す補正テーブル５７１のグラフの形状が異なったものとなる。
【００４０】
そして、制御回路部５３からの制御信号に応じて、決定された調光比に応じた調光信号ＣＴＬが調光信号生成部５６から調光用安定器６へ出力される（ステップＳ５）。そして、調光用安定器６によって、調光信号ＣＴＬに応じた電力が放電灯ＦＬへ供給される。
【００４１】
さらに、電流検出部５２から出力された検出電圧Ｖｄが基準電圧Ｖｒｅｆ１を超える状態が、予め設定された所定の時間、例えば放電灯ＦＬが正常に点灯を開始したと判断出来る時間が経過すると、計時カウンタ５５により累積点灯時間の計時が開始される（ステップＳ６）。そして、所定の時間間隔毎、例えばスイッチＳＷ１がオフされて計時カウンタ５５による計時途中の累積点灯時間が初期化されても累積点灯時間に大きな誤差を生じない程度の時間間隔毎に、制御回路部５３によって計時カウンタ５５により計時された累積点灯時間が読み出され、新たな累積点灯時間として不揮発性メモリ５７に記憶される（ステップＳ７）。
【００４２】
以降、ステップＳ２〜Ｓ７の処理が繰り返されることにより、累積点灯時間の計時と、累積点灯時間と放電灯ＦＬの種類毎の光出力低下特性に応じた補正テーブル５７１とに基づく調光制御とが繰り返され、放電灯ＦＬの累積点灯時間によらず、放電灯ＦＬの光出力は略一定に維持される。
【００４３】
また、照度補正部５と調光用安定器６との間はケーブルＣＢ１，ＣＢ２及びコネクタ７によって接続されているので、使用する放電灯ＦＬの種類を変更する場合は、照度補正部５だけを調光用安定器６からコネクタ７によって切り離して、変更する放電灯ＦＬの光出力低下特性に応じた補正テーブル５７１を備えた照度補正部５と交換することにより異なる種類の放電灯ＦＬを使用して初期照度補正を行うことが出来るので、図２４、図２５に示す背景技術に係る放電灯点灯装置１０１のように、使用する放電灯の種類を変更する際に放電灯点灯装置１０１ごと交換する必要が無く、使用する放電灯の種類を変更する際のコストを低減することができる。
【００４４】
次に、ソケット４から放電灯ＦＬが取り外されると、図８に示すように、調光用安定器６が待機状態となって入力電流Ｉｉｎが極めて微小となり、電流検出部５２の検出電圧Ｖｄが基準電圧Ｖｒｅｆ１を下回る。そうすると、制御回路部５３により無負荷状態と判断され（ステップＳ２でＹＥＳ）、計時カウンタ５５による累積点灯時間の計時、及び不揮発性メモリ５７に記憶されている累積点灯時間の更新が停止される。
【００４５】
これにより、無負荷状態において、放電灯ＦＬが点灯されていないにもかかわらず誤って累積点灯時間を計時することが抑制され、例えば図２４に示す背景技術に係る放電灯点灯装置１０１のように電源電圧Ｖａｃが放電灯点灯装置１０１に供給されている通電時間を累積点灯時間として計時する場合と比べて、放電灯ＦＬが点灯されている時間を累積して計時する精度を向上させることができるので、放電灯ＦＬの点灯時間の経過によらず光出力を略一定に維持する調光制御の精度を向上させることが出来る。
【００４６】
また、放電灯ＦＬがソケット４に接続された後は、調光用安定器６の無負荷検出回路により無負荷状態が検出されなくなるため待機状態が解除され、調光用安定器６によって図８に示す電源オン時と同様の点灯開始動作が行われるため、再び入力電流Ｉｉｎが増加し、電流検出部５２から出力された検出電圧Ｖｄが基準電圧Ｖｒｅｆ１を超えるため、制御回路部５３により放電灯ＦＬが点灯開始した（無負荷ではない）と判断され（ステップＳ２でＮＯ）、再びステップＳ２〜Ｓ７の処理が繰り返されることにより、累積点灯時間の計時と、累積点灯時間に応じた調光制御とが繰り返され、放電灯ＦＬの累積点灯時間によらず放電灯ＦＬの光出力は略一定に維持される。
【００４７】
これにより、制御回路部５３によって放電灯ＦＬの有無が検出され、放電灯ＦＬがソケット４に接続されている場合のみ累積点灯時間が計時されるので、放電灯ＦＬの点灯時間の経過によらず光出力を略一定に維持する調光制御の精度を向上させることが出来る。
【００４８】
なお、本実施例では、電流検出部５２は調光用安定器６に供給される入力電流Ｉｉｎを検出して検出電圧Ｖｄを出力する構成としていたが、図９に示すように、電流検出部５２は調光用安定器６に供給される入力電流Ｉｉｎと制御電源回路部５４に供給される電流との合計を検出して検出電圧Ｖｄを出力する構成としてもよい。
【００４９】
また、計時カウンタ５５は、図２４に示す放電灯点灯装置１０１と同様、電源電圧Ｖａｃが放電灯点灯装置２に供給されている通電時間を累積点灯時間として計時する構成としてもよい。
【００５０】
次に、点灯していた放電灯ＦＬにおけるフィラメントの異常、例えば放電灯ＦＬが寿命末期になった場合、さらに継続して累積点灯時間を計時する必要がない。そこで、以下のようにして、不揮発性メモリ５７に記憶されている累積点灯時間、及び計時カウンタ５５により計時途中の累積点灯時間をゼロにする。
【００５１】
図１０は、放電灯ＦＬが寿命末期になった場合における放電灯点灯装置２の動作の一例を示す説明図である。放電灯ＦＬが寿命末期になった場合において、調光用安定器６によって点灯開始シーケンスが実行されると、始動から点灯へ移行しようとする際に放電灯ＦＬに印加される電圧が正常時より高くなるため調光用安定器６の保護動作によって点灯開始シーケンスが停止される。そうすると、入力電流Ｉｉｎが低下して検出電圧Ｖｄが低下し、調光用安定器６が待機状態となって入力電流Ｉｉｎが微小となり、電流検出部５２の検出電圧Ｖｄが基準電圧Ｖｒｅｆ１を下回る。
【００５２】
例えば、調光用安定器６として松下電工（株）製調光用安定器（ＥＸ３２ＨＦ１１／２４ＨＫ−１ＥＸＨ）等を用いた場合、点灯開始シーケンスを所定回数、例えば３回繰り返して放電灯ＦＬへの電力供給の開始と停止とを繰り返した後、発振停止するようになっている。この時、図１０に示すように、放電灯ＦＬの点灯状態において寿命末期となると、調光用安定器６が待機状態となって入力電流Ｉｉｎが微小となった後、点灯開始シーケンスが３回繰り返される結果、入力電流Ｉｉｎは増加と減少とを３回繰り返し、電流検出部５２によって検出された検出電圧Ｖｄが基準電圧Ｖｒｅｆ１に対して３回上下を繰り返した後、検出電圧Ｖｄは基準電圧Ｖｒｅｆ１よりも低い電圧で維持される。
【００５３】
そこで、端子台５１による電源電圧Ｖａｃの受電が継続中であり、従って制御電源回路部５４から制御回路部５３への動作用電源電圧Ｖｄｃの供給が継続している間に、電流検出部５２によって検出された検出電圧Ｖｄが基準電圧Ｖｒｅｆ１に対して所定の回数、例えば３回上下を繰り返した場合に、制御回路部５３によって、放電灯ＦＬが寿命末期になったものと判断されて不揮発性メモリ５７に記憶されている累積点灯時間、及び計時カウンタ５５により計時途中の累積点灯時間が自動的にゼロにされるようにされている。
【００５４】
これにより、放電灯ＦＬの寿命末期時に自動的に累積点灯時間の初期化を行うことができる。
【００５５】
また、寿命末期に達する前にユーザが放電灯ＦＬを新しいものに交換した場合にも累積点灯時間を初期化する必要がある。そこで、ユーザが放電灯ＦＬの交換時に、スイッチＳＷ１を所定回数、例えば３回オフオンして放電灯点灯装置２への電力供給の停止と開始とを繰り返すことにより、強制的に不揮発性メモリ５７に記憶されている累積点灯時間がゼロにされるようにされている。
【００５６】
具体的には、図１１に示すように、ユーザが放電灯ＦＬを交換するために放電灯ＦＬをソケット４から取り外すと、調光用安定器６によって無負荷状態が検出され、調光用安定器６が待機状態に移行して検出電圧Ｖｄが基準電圧Ｖｒｅｆ１を下回る。そして、ユーザがスイッチＳＷ１をオフすると、端子台５１に電源電圧Ｖａｃが供給されないので、検出電圧Ｖｄがゼロになると共に、制御電源回路部５４から制御回路部５３へ供給される動作用電源電圧Ｖｄｃもゼロとなる。
【００５７】
次に、ユーザがスイッチＳＷ１をオンすると、電源電圧Ｖａｃが端子台５１により受電されると共に調光用安定器６及び制御電源回路部５４に供給される。このとき、放電灯ＦＬは外れているので、調光用安定器６は無負荷状態を検出して待機状態に移行し、検出電圧Ｖｄが基準電圧Ｖｒｅｆ１を下回る一方、制御電源回路部５４から制御回路部５３へ動作用電源電圧Ｖｄｃが供給され、制御回路部５３が動作を開始する。そして、制御回路部５３によって、制御回路部５３が動作を開始した直後の検出電圧Ｖｄが基準電圧Ｖｒｅｆ１を下回っている状態である第１の事象（符号Ｐ１）が検出され、その第１の事象の発生回数が計数されて不揮発性メモリ５７に記憶される。
【００５８】
上述のように、放電灯ＦＬがソケット４から取り外された状態で、ユーザがスイッチＳＷ１のオフ、オンを３回繰り返すと、図１１における符号Ｐ１，Ｐ２，Ｐ３において制御回路部５３により、制御回路部５３の動作開始直後における検出電圧Ｖｄが基準電圧Ｖｒｅｆ１を下回っている第１の事象が検出されると共に、制御回路部５３により計数された第１の事象の発生回数が所定の回数、例えば３回に達すると、制御回路部５３によって不揮発性メモリ５７に記憶されている累積点灯時間がゼロにされる。
【００５９】
これにより、放電灯ＦＬの交換時におけるユーザの所定の電源オフ、オン操作に基づいて、累積点灯時間の初期化を行うことができる。
【００６０】
なお、上述の放電灯ＦＬの交換時におけるユーザの電源オフ、オン操作は、所定の時間内、例えば３秒以内に所定の回数、例えば３回行われた場合に、累積点灯時間が初期化される構成としてもよい。
【００６１】
図１２は、累積点灯時間の初期化動作の一例を説明するための説明図である。例えば、ユーザが放電灯ＦＬを交換するために放電灯ＦＬをソケット４から取り外すと、調光用安定器６が待機状態に移行して検出電圧Ｖｄが基準電圧Ｖｒｅｆ１を下回る。そして、ユーザがスイッチＳＷ１をオフすると、検出電圧Ｖｄがゼロになると共に動作用電源電圧Ｖｄｃもゼロとなる。次に、ユーザがスイッチＳＷ１をオンすると、電源電圧Ｖａｃが調光用安定器６及び制御電源回路部５４に供給される。このとき、放電灯ＦＬは外れているので、調光用安定器６は待機状態に移行して検出電圧Ｖｄが基準電圧Ｖｒｅｆ１を下回る一方、制御回路部５３が動作を開始して動作開始直後の検出電圧Ｖｄが基準電圧Ｖｒｅｆ１を下回っている状態である第１の事象（符号Ｐ１）が検出され、その第１の事象の発生回数が計数されて不揮発性メモリ５７に記憶されると共に、図略のタイマ回路により電源オン時間の計時が開始される。このタイマ回路は、例えば電池によって駆動され、動作用電源電圧Ｖｄｃが０Ｖであっても動作可能にされている。
【００６２】
そして、前記タイマ回路により計時された電源オン時間が予め設定された所定の監視時間Ｔｏｎ、例えば１秒に達する前に電源がオフされれば、次にその時点から前記タイマ回路により電源オフ時間の計時が開始される。そして、このタイマ回路によって、この計時が予め設定された所定の監視時間Ｔｏｆｆ、例えば１秒に達する前に電源がオン（符号Ｐ２）されれば、再度その時点から電源オン時間が計時され、監視時間Ｔｏｎに達する前に電源がオフされれば、再度その時点から電源オフ時間が計時され、監視時間Ｔｏｆｆに達する前に電源がオン（符号Ｐ３）されれば、この時点で第１の事象の発生回数が３回となるので、制御回路部５３によって、制御回路部５３によって不揮発性メモリ５７に記憶されている累積点灯時間がゼロにされる。
【００６３】
一方、図１２に示す累積点灯時間の初期化動作において、前記タイマ回路による電源オン時間の計時値及び電源オフ時間の計時値のうち、何回目の計時値であるかを問わず、電源オン時間の計時値が監視時間Ｔｏｎに達した、あるいは電源オフ時間が監視時間Ｔｏｆｆに達した場合は、制御回路部５３によって累積点灯時間の初期化動作はキャンセルされ、不揮発性メモリ５７に記憶された第１の事象の発生回数がゼロにされる。
【００６４】
例えば、図１３に示す累積点灯時間の初期化動作において、符号Ｐ４で示す電源オフのタイミングから符号Ｐ３で示す電源オンのタイミングまでの時間ｔ１は、監視時間Ｔｏｆｆを超えているため、符号Ｐ３で示す電源オンのタイミングで、制御回路部５３によって累積点灯時間の初期化動作はキャンセルされ、不揮発性メモリ５７に記憶された第１の事象の発生回数がゼロにされる。
【００６５】
また、例えば、図１４に示す累積点灯時間の初期化動作において、符号Ｐ２で示す電源オンのタイミングから符号Ｐ４で示す電源オフのタイミングまでの時間ｔ２は、監視時間Ｔｏｎを超えているため、符号Ｐ４で示す電源オフのタイミングで、制御回路部５３によって累積点灯時間の初期化動作はキャンセルされ、不揮発性メモリ５７に記憶された第１の事象の発生回数がゼロにされる。
【００６６】
上述のように、ユーザによる電源オン、オフの操作が、所定の時間内に所定回数行われた場合に累積点灯時間が初期化されるので、例えば１日周期でユーザがスイッチＳＷ１をオン、オフした場合のように、ユーザが累積点灯時間の初期化を意図せずに行った電源オン、オフ操作によって、誤って累積点灯時間が初期化されることを抑制することが出来る。
【００６７】
なお、電源電圧Ｖａｃを、照度補正部５を介して調光用安定器６へ供給するのではなく、図１５に示すように照度補正部５と調光用安定器６とに直接供給する構成としてもよいが、この場合、照度補正部５は、調光用安定器６に供給される入力電流Ｉｉｎを検出することが出来ないため、入力電流Ｉｉｎに基づいて放電灯ＦＬの寿命末期や放電灯ＦＬが取り外されたことを検出することが出来ない。そのため、図１５に示す構成では、調光用安定器６から照度補正部５へ寿命末期や無負荷状態を示す信号ＣＴＸを出力する必要があるため、調光用安定器６と照度補正部５との間に信号ＣＴＸを伝達する信号ケーブルＣＢ３を接続する必要が生じる。
【００６８】
一方、図２に示す放電灯点灯装置２では、照度補正部５は、調光用安定器６に供給される入力電流Ｉｉｎに基づいて放電灯ＦＬの寿命末期や放電灯ＦＬが取り外されたことを検出し、累積点灯時間を初期化したり、累積点灯時間の計時を停止させたりすることが出来るので、調光用安定器６と照度補正部５との間に信号ケーブルＣＢ３を備える必要が無く、コストを低減できると共に配線作業を容易にすることができる。
【００６９】
また、放電灯ＦＬが交換された場合にユーザが累積点灯時間を初期化させようとする場合には、ユーザが累積点灯時間の初期化を指示するための機械的な強制リセットスイッチなどを備えることなく、ユーザによる所定の電源オン、オフ操作によって累積点灯時間を初期化することができるので、リセットスイッチのコストを低減することができる。
【００７０】
（第２実施形態）
次に、本発明の第２の実施形態に係る放電灯点灯装置２ａについて説明する。図１６は、本発明の第２の実施形態に係る放電灯点灯装置２ａの構成の一例を示すブロック図である。
【００７１】
図１６に示す放電灯点灯装置２ａと図３に示す放電灯点灯装置２とでは、下記の点で異なる。すなわち、図１６に示す放電灯点灯装置２ａでは、不揮発性メモリ５７ａは、複数種類の放電灯ＦＬについて複数の補正テーブル、例えば補正テーブル５７１，５７２をそれぞれ記憶するものであり、制御回路部５３ａは、放電灯ＦＬの点灯時において、第１の電流検出部の一例である電流検出部５２によって検出された検出電圧Ｖｄに基づきソケット４に取り付けられた放電灯ＦＬの種類を判別し、不揮発性メモリ５７ａに記憶されている当該判別した放電灯ＦＬの種類についての補正テーブルに基づいて、調光信号生成部５６に調光信号ＣＴＬを出力させる点で異なる。
【００７２】
その他の構成は図３に示す放電灯点灯装置２と同様であるのでその説明を省略し、以下本実施形態の動作について説明する。例えば、ＪＩＳ規格のＨｆ３２Ｗのような放電灯をソケット４に接続して点灯させる場合と、Ｈｆ８６Ｗのような放電灯をソケット４に接続して点灯させる場合とでは、調光用安定器６の入力電流Ｉｉｎは大きく異なり、Ｈｆ８６Ｗを点灯させる場合の入力電流Ｉｉｎは、Ｈｆ３２Ｗを点灯させる場合の約２倍となる。また、例えばＨｆ８６ＷとＨｆ３２Ｗとのように、放電灯の種類が異なれば光束減退の度合いである光出力低下特性も異なる。
【００７３】
そこで、図１６に示す放電灯点灯装置２ａは、例えばＨｆ８６Ｗの光出力低下特性に応じた補正テーブル５７１と、Ｈｆ３２Ｗの光出力低下特性に応じた補正テーブル５７２とを不揮発性メモリ５７ａに記憶している。
【００７４】
図１７は、図１６に示す放電灯点灯装置２ａの動作を説明するための説明図である。まず、Ｈｆ３２Ｗの放電灯ＦＬがソケット４に接続された状態において、符号Ｐ１１で示すタイミングでユーザがスイッチＳＷ１をオンして電源オンされると、制御回路部５３ａは、電流検出部５２から出力される検出電圧Ｖｄを監視する。そして、符号Ｐ１２で示すタイミングで、検出電圧Ｖｄが予め設定された所定の基準電圧Ｖｒｅｆ２を下回っていると、ソケット４に接続されている放電灯ＦＬは、Ｈｆ３２Ｗであると判断され、補正テーブル５７２が選択される。
【００７５】
一方、Ｈｆ８６Ｗの放電灯ＦＬがソケット４に接続された状態において、符号Ｐ１３で示すタイミングでユーザがスイッチＳＷ１をオンして電源オンされると、制御回路部５３ａは、電流検出部５２から出力される検出電圧Ｖｄを監視する。そして、符号Ｐ１４で示すタイミングで、検出電圧Ｖｄが予め設定された所定の基準電圧Ｖｒｅｆ２を上回っていると、ソケット４に接続されている放電灯ＦＬは、Ｈｆ８６Ｗであると判断され、補正テーブル５７１が選択される。この場合、基準電圧Ｖｒｅｆ２は、異なる種類の放電灯ＦＬ、例えばＨｆ８６Ｗの点灯時における入力電流Ｉｉｎに応じた検出電圧Ｖｄと、例えばＨｆ３２Ｗの点灯時における入力電流Ｉｉｎに応じた検出電圧Ｖｄと、の間に設定されている。
【００７６】
以降、制御回路部５３ａによって選択された補正テーブルが、図６に示すフローチャートにおけるステップＳ４において用いられ、図３に示す放電灯点灯装置２と同様に、ステップＳ２〜Ｓ７の処理が繰り返されることにより、放電灯ＦＬの種類に応じた光出力低下特性に対応した補正テーブルと累積点灯時間とに基づく調光制御が行われ、放電灯ＦＬの累積点灯時間によらず放電灯ＦＬの光出力は略一定に維持される。
【００７７】
また、図１７に示すように、電源がオンされる都度、放電灯ＦＬの種類が判別される構成としてもよいが、初期照度補正を行っているので、累積点灯時間によって点灯時の調光率が変わっていくため、点灯時の入力電流Ｉｉｎも変化する。従って、制御回路部５３ａは、累積点灯時間に応じて基準電圧Ｖｒｅｆ２を変化させる構成としてもよい。
【００７８】
また、制御回路部５３ａは、累積点灯時間の初期化処理を行った直後の点灯時に放電灯ＦＬの種類を判別してその種類を示す種類情報を不揮発性メモリ５７ａに記憶させておき、以降の電源オン時には、不揮発性メモリ５７ａから読み出した種類情報に応じて補正テーブルを選択するようにしてもよい。
【００７９】
これにより、放電灯ＦＬの種類毎に異なる照度補正部５ａを用いる必要が無く、１つの照度補正部５ａで複数種類の放電灯ＦＬとの組み合わせが可能となる。さらに、各種類の放電灯ＦＬに応じた適切な初期照度補正を行うことが可能となる。
【００８０】
なお、例えば図１８に示すように、照度補正部５ａに、例えば押しボタンスイッチからなるリセットスイッチＳＷ２を備え、ユーザによってリセットスイッチＳＷ２が押下されたことが検出されると、制御回路部５３ａによって、不揮発性メモリ５７に記憶されている累積点灯時間がゼロにされ、累積点灯時間が初期化されるようにしてもよい。これにより、ユーザは強制的に、制御回路部５３ａにより累積点灯時間を初期化させることが出来る。
【００８１】
また、例えば図１８に示すように、照度補正部５ａに、例えばスライドスイッチや押しボタンスイッチ等からなる種類受付部の一例である設定用スイッチＳＷ３を備え、ユーザが設定用スイッチＳＷ３を用いて放電灯ＦＬの種類を設定することにより、制御回路部５３ａによって、放電灯ＦＬの種類を示す種類情報が取得され、初期照度補正処理においてその種類情報に応じて補正テーブルが選択されるようにしてもよい。これにより、ユーザが放電灯ＦＬの種類情報を設定用スイッチＳＷ３を用いて設定することができ、制御回路部５３ａにより各種類の放電灯ＦＬに応じた適切な初期照度補正を行うことが可能となる。
【００８２】
また、放電灯点灯装置２ａは、照度補正部５ａに例えば屋内の壁面に取り付けられた図略の調光指示スイッチが接続され、ユーザがその調光指示スイッチを用いて調光比の指示入力を行うことにより放電灯ＦＬの調光比を変化させる調光機能を備えている場合、放電灯ＦＬが調光状態で点灯されると、放電灯ＦＬの光出力低下特性（保守率）が変化する。そこで、制御回路部５３ａによって、図略の調光指示スイッチにより受け付けられた調光比に応じて不揮発性メモリ５７ａに記憶されている補正テーブル５７１や補正テーブル５７２が、放電灯ＦＬが調光状態で点灯されたことによる光出力低下特性の変化を相殺するように補正されるようにしてもよい。これにより、放電灯ＦＬの図略の調光指示スイッチにより受け付けられた調光比及び累積点灯時間によらず放電灯ＦＬの光出力を略一定に維持することができる。
【００８３】
また、例えば、図１９に示すように、図３に示す放電灯点灯装置２や図１６に示す放電灯点灯装置２ａにおいて、照度補正部５，５ａは、フィルタ回路部５８を備え、端子台５１によって受電された電源電圧Ｖａｃは、フィルタ回路部５８を介して電流検出部５２及び制御電源回路部５４へ供給される構成としてもよい。
【００８４】
フィルタ回路部５８は、例えば図２０に示すように、電源電圧Ｖａｃが供給される端子台５１，５１間に接続されるコンデンサＣ３と、コンデンサＣ３の一方の端子に接続されたノーマルモードチョークＬ２と、コンデンサＣ３の一方の端子に接続されたノーマルモードチョークＬ３と、コンデンサＣ３の両端にノーマルモードチョークＬ２，Ｌ３を介して入力端子が接続されたコモンモードチョークＬ４と、コモンモードチョークＬ４の出力端子間に接続されたコンデンサＣ４，Ｃ５の直列回路とを備え、コンデンサＣ４，Ｃ５の接続点は接地され、コンデンサＣ４，Ｃ５の直列回路における両端電圧が電流検出部５２及び制御電源回路部５４へ供給されるようになっている。そして、放電灯点灯装置２，２ａの各部に供給される電力は、全てフィルタ回路部５８を介して供給される構成となっている。
【００８５】
これにより、制御電源回路部５４、制御回路部５３，５３ａ、あるいは調光用安定器６等で発生するノイズが電源ラインから端子台５１，５１を介して外部に漏洩することにより生じる雑音端子電圧を抑制することが出来る。特に、調光用安定器６が備えるインバータ回路は高周波でスイッチング動作を行うために、このスイッチング動作に伴うノイズがケーブルＣＢ１を介して電源電圧Ｖａｃに重畳され易い傾向があるが、調光用安定器６や制御電源回路部５４で生じたノイズはフィルタ回路部５８によって低減され、端子台５１，５１から放電灯点灯装置２，２ａの外部に漏洩する雑音端子電圧レベルが低減されるので、フィルタ回路部５８を備えた放電灯点灯装置２，２ａと同じ電源系統に接続された他の電気機器に与えるノイズの影響を低減することができる。
【００８６】
また、制御電源回路部５４や制御回路部５３，５３ａが発生するノイズレベルは調光用安定器６から発生するノイズレベルと比較すると低いので、調光用安定器６への電力供給のみフィルタ回路部５８を介して供給し、制御電源回路部５４への電力供給は端子台５１，５１から直接行ってもよい。この場合、調光用安定器６からのレベルの高いノイズは、フィルタ回路部５８によって低減されると共に、調光用安定器６で生じたノイズが制御電源回路部５４に印加されることが低減されるので、放電灯点灯装置２，２ａの外部に漏洩する雑音端子電圧レベルを低減できると共に、制御電源回路部５４や制御回路部５３，５３ａに対するノイズの影響を低減することができる。
【図面の簡単な説明】
【００８７】
【図１】本発明の一実施形態に係る照明装置の外観の一例を示す斜視図である。
【図２】図１に示す放電灯点灯装置の外観の一例を示す斜視図である。
【図３】本発明の第１の実施形態に係る放電灯点灯装置の構成の一例を示すブロックである。
【図４】図３に示す放電灯点灯装置における照度補正部の詳細な構成の一例を示す回路図である。
【図５】図３に示す放電灯点灯装置による放電灯の点灯開始時の動作を説明するための説明図である。
【図６】図３に示す放電灯点灯装置の動作の一例を示すフローチャートである。
【図７】図３に示す放電灯点灯装置における不揮発性メモリに記憶されている補正テーブルの一例を示す説明図である。
【図８】図３に示す放電灯点灯装置の動作の一例を説明するための説明図である。
【図９】図３に示す放電灯点灯装置の動作の一例を説明するための説明図である。
【図１０】図３に示す放電灯点灯装置の動作の一例を説明するための説明図である。
【図１１】図３に示す放電灯点灯装置の動作の一例を説明するための説明図である。
【図１２】図３に示す放電灯点灯装置の動作の一例を説明するための説明図である。
【図１３】図３に示す放電灯点灯装置の動作の一例を説明するための説明図である。
【図１４】図３に示す放電灯点灯装置の動作の一例を説明するための説明図である。
【図１５】図１に示す放電灯点灯装置の他の一例を示す斜視図である。
【図１６】本発明の第２の実施形態に係る放電灯点灯装置の構成の一例を示すブロック図である。
【図１７】図１６に示す放電灯点灯装置の動作を説明するための説明図である。
【図１８】図１６に示す放電灯点灯装置の外観の一例を示す斜視図である。
【図１９】図３、図１６に示す放電灯点灯装置の変形例を示すブロック図である。
【図２０】図１９に示すフィルタ回路部５８の一例を示す回路図である。
【図２１】背景技術に係る放電灯点灯装置の動作を説明するための説明図である。
【図２２】背景技術に係る放電灯点灯装置の動作を説明するための説明図である。
【図２３】背景技術に係る放電灯点灯装置の動作を説明するための説明図である。
【図２４】背景技術に係る放電灯点灯装置の構成を示すブロック図である。
【図２５】背景技術に係る放電灯点灯装置の外観を示す斜視図である。
【符号の説明】
【００８８】
１    照明装置
２，２ａ  放電灯点灯装置
３    筐体
４    ソケット
５，５ａ  照度補正部
６    調光用安定器
７    コネクタ
５１  端子台
５２  電流検出部
５３，５３ａ  制御回路部
５４  制御電源回路部
５５  計時カウンタ
５６  調光信号生成部
５７，５７ａ  不揮発性メモリ
５８  フィルタ回路部
５７１，５７２  補正テーブル
Ｃ１，Ｃ２，Ｃ３，Ｃ４，Ｃ５  コンデンサ
ＣＢ１，ＣＢ２  ケーブル
ＣＴＬ  調光信号
ＦＬ  放電灯
Ｉｉｎ  入力電流
Ｌ１  トランス
Ｑ１  トランジスタ
Ｒ１，Ｒ２，Ｒ３，Ｒ４，Ｒ５，Ｒ６  抵抗
ＳＷ２  リセットスイッチ
ＳＷ３  設定用スイッチ
Ｔｏｆｆ，Ｔｏｎ  監視時間
Ｖｄ  検出電圧
Ｖｄｃ      動作用電源電圧
Ｖｒｅｆ１  基準電圧
Ｖｒｅｆ２  基準電圧
【図１】
2006066347.tif 000003
【図２】
2006066347.tif 000004
【図３】
2006066347.tif 000005
【図４】
2006066347.tif 000006
【図５】
2006066347.tif 000007
【図６】
2006066347.tif 000008
【図７】
2006066347.tif 000009
【図８】
2006066347.tif 000010
【図９】
2006066347.tif 000011
【図１０】
2006066347.tif 000012
【図１１】
2006066347.tif 000013
【図１２】
2006066347.tif 000014
【図１３】
2006066347.tif 000015
【図１４】
2006066347.tif 000016
【図１５】
2006066347.tif 000017
【図１６】
2006066347.tif 000018
【図１７】
2006066347.tif 000019
【図１８】
2006066347.tif 000020
【図１９】
2006066347.tif 000021
【図２０】
2006066347.tif 000022
【図２１】
2006066347.tif 000023
【図２２】
2006066347.tif 000024
【図２３】
2006066347.tif 000025
【図２４】
2006066347.tif 000026
【図２５】
2006066347.tif 000027